(57)【要約】      （修正有）【課題】時間鎖錠連動表生成システムに係り、鉄道信号の連動装置に組み込む時間鎖錠データを自動作成する。【解決手段】進路内時間鎖錠判定部４０３は、配線略図データベース４０１を用いて、最終の進路区分鎖錠が解錠してから、進路内の転てつ器の鎖錠を継続する進路内時間鎖錠の対象を自動的に判定し、予め定められている進路内時間鎖錠標準時素も用いて時間鎖錠条件を生成する。他にも、最終の進路区分鎖錠を解錠してから、過走経路の転てつ器又は進路の鎖錠を継続する過走防護時間鎖錠の対象を自動的に判定し、過走防護時間鎖錠標準時素も用いて時間鎖錠条件を生成する。そして、時間鎖錠条件に基づいて、連動表における時間鎖錠の記述を自動生成する。【選択図】図４
2010228609.tif 000002
【特許請求の範囲】
【請求項１】
停車場構内の配線情報を管理する配線略図データベースと接続し、以下の要素を有することを特徴とする時間鎖錠連動表生成システム
（１）最終の進路区分鎖錠が解錠してから、進路内の転てつ器の鎖錠を継続する進路内時間鎖錠における標準的な鎖錠継続時間である進路内時間鎖錠標準時素と、最終の進路区分鎖錠を解錠してから、過走経路の転てつ器又は進路の鎖錠を継続する過走防護時間鎖錠における標準的な鎖錠継続時間である過走防護時間鎖錠標準時素を記憶する標準時素テーブル
（２）進路毎に、進路内時間鎖錠設定時素と、進路内時間鎖錠対象と、過走防護時間鎖錠設定時素と、過走防護時間鎖錠対象を対応付けて記憶するための時間鎖錠条件テーブル
（３）配線略図データベースから取得した配線情報に基づいて、進路毎に進路内時間鎖錠の対象とする転てつ器を特定し、時間鎖錠条件テーブルに当該進路に対応付けて進路内時間鎖錠対象として記憶させ、更に標準時素テーブルで記憶している進路内時間鎖錠標準時素を進路内時間鎖錠設定時素として当該進路に対応付け記憶させる進路内時間鎖錠判定部
（４）進路に対して予め定められている過走防護時間鎖錠対象を、時間鎖錠条件テーブルに当該進路と対応付けて記憶させ、更に標準時素テーブルで記憶している過走防護時間鎖錠標準時素を過走防護時間鎖錠設定時素として当該進路に対応付けて記憶させる過走防護時間鎖錠判定部
（５）時間鎖錠条件テーブルの修正を受け付ける時間鎖錠条件修正部
（６）進路毎に、時間鎖錠条件テーブルで記憶している進路内時間鎖錠設定時素と、進路内時間鎖錠対象と、過走防護時間鎖錠設定時素と、過走防護時間鎖錠対象に基づいて、連動表の時間鎖錠の記述を生成する時間鎖錠連動表生成部。
【請求項２】
進路内時間鎖錠判定部は、配線略図データベースを用いて、当該進路の到着線路を取得し、到着線路内の軌道回路を外方から探索させ、転てつ機が無い軌道回路を特定し、当該軌道回路の内方の転てつ器を特定し、特定した転てつ器を進路内時間鎖錠の対象とすることを特徴とする請求項１記載の時間鎖錠連動表生成システム。
【請求項３】
時間鎖錠連動表生成システムは、更に、
進路毎に、操作者の操作により防護終点を受け付け、配線略図データベースを用いて、当該進路の終点と防護終点を結ぶ経路を探索させ、探索した経路を過走経路とする過走経路設定部を有し、
過走防護時間鎖錠判定部は、過走経路内の転てつ器を過走防護時間鎖錠対象として時間鎖錠条件テーブルに記憶させることを特徴とする請求項１記載の時間鎖錠連動表生成システム。
【請求項４】
時間鎖錠連動表生成システムは、更に、
進路毎に、配線略図データベースを用いて、当該進路内の開通てこを探索させ、探索した開通てこを反位鎖錠対象とする開通てこ反位鎖錠判定部を有し、
過走防護時間鎖錠判定部は、反位鎖錠対象を過走防護時間鎖錠対象として時間鎖錠条件テーブルに記憶させることを特徴とする請求項１記載の時間鎖錠連動表生成システム。
【請求項５】
時間鎖錠連動表生成システムは、更に、
進路毎に、配線略図データベースを用いて、当該進路の内方に連続する進路を探索させ、探索した進路を候補として、操作者により選択された進路を反位鎖錠対象とする内方進路反位鎖錠判定部を有し、
過走防護時間鎖錠判定部は、反位鎖錠対象を過走防護時間鎖錠対象として時間鎖錠条件テーブルに記憶させることを特徴とする請求項１記載の時間鎖錠連動表生成システム。
【請求項６】
時間鎖錠連動表生成システムは、更に、
進路毎に、配線略図データベースを用いて、当該進路の信号機が進行を現示するか判定し、進行を現示する進路の内方に連続する信号機の進路を抽出し、抽出した内方進路を候補として、操作者により選択された内方進路を定位鎖錠対象とする内方信号機反位鎖錠判定部を有し、
過走防護時間鎖錠判定部は、定位鎖錠対象を過走防護時間鎖錠対象として時間鎖錠条件テーブルに記憶させることを特徴とする請求項１記載の時間鎖錠連動表生成システム。
【請求項７】
停車場構内の配線情報を管理する配線略図データベースと接続し、
最終の進路区分鎖錠が解錠してから、進路内の転てつ器の鎖錠を継続する進路内時間鎖錠における標準的な鎖錠継続時間である進路内時間鎖錠標準時素と、最終の進路区分鎖錠を解錠してから、過走経路の転てつ器又は進路の鎖錠を継続する過走防護時間鎖錠における標準的な鎖錠継続時間である過走防護時間鎖錠標準時素を記憶する標準時素テーブルと、
進路毎に、進路内時間鎖錠設定時素と、進路内時間鎖錠対象と、過走防護時間鎖錠設定時素と、過走防護時間鎖錠対象を対応付けて記憶するための時間鎖錠条件テーブルを有する時間鎖錠連動表生成システムによる時間鎖錠連動表生成方法であって、以下の工程を有することを特徴とする時間鎖錠連動表生成方法
（１）配線略図データベースから取得した配線情報に基づいて、進路毎に進路内時間鎖錠の対象とする転てつ器を特定し、時間鎖錠条件テーブルに当該進路に対応付けて進路内時間鎖錠対象として記憶させ、更に標準時素テーブルで記憶している進路内時間鎖錠標準時素を進路内時間鎖錠設定時素として当該進路に対応付けて記憶させる進路内時間鎖錠判定工程
（２）進路に対して予め定められている過走防護時間鎖錠対象を、時間鎖錠条件テーブルに当該進路と対応付けて記憶させ、更に標準時素テーブルで記憶している過走防護時間鎖錠標準時素を過走防護時間鎖錠設定時素として当該進路に対応付け記憶させる過走防護時間鎖錠判定工程
（３）時間鎖錠条件テーブルの修正を受け付ける時間鎖錠条件修正工程
（４）進路毎に、時間鎖錠条件テーブルで記憶している進路内時間鎖錠設定時素と、進路内時間鎖錠対象と、過走防護時間鎖錠設定時素と、過走防護時間鎖錠対象に基づいて、連動表の時間鎖錠の記述を生成する時間鎖錠連動表生成工程。
【請求項８】
停車場構内の配線情報を管理する配線略図データベースと接続し、
最終の進路区分鎖錠が解錠してから、進路内の転てつ器の鎖錠を継続する進路内時間鎖錠における標準的な鎖錠継続時間である進路内時間鎖錠標準時素と、最終の進路区分鎖錠を解錠してから、過走経路の転てつ器又は進路の鎖錠を継続する過走防護時間鎖錠における標準的な鎖錠継続時間である過走防護時間鎖錠標準時素を記憶する標準時素テーブルと、
進路毎に、進路内時間鎖錠設定時素と、進路内時間鎖錠対象と、過走防護時間鎖錠設定時素と、過走防護時間鎖錠対象を対応付けて記憶するための時間鎖錠条件テーブルを有する時間鎖錠連動表生成システムとなるコンピュータに、以下の手順を実行させるためのプログラム
（１）配線略図データベースから取得した配線情報に基づいて、進路毎に進路内時間鎖錠の対象とする転てつ器を特定し、時間鎖錠条件テーブルに当該進路に対応付けて進路内時間鎖錠対象として記憶させ、更に標準時素テーブルで記憶している進路内時間鎖錠標準時素を進路内時間鎖錠設定時素として当該進路に対応付けて記憶させる進路内時間鎖錠判定手順
（２）進路に対して予め定められている過走防護時間鎖錠対象を、時間鎖錠条件テーブルに当該進路と対応付けて記憶させ、更に標準時素テーブルで記憶している過走防護時間鎖錠標準時素を過走防護時間鎖錠設定時素として当該進路に対応付け記憶させる過走防護時間鎖錠判定手順
（３）時間鎖錠条件テーブルの修正を受け付ける時間鎖錠条件修正手順
（４）進路毎に、時間鎖錠条件テーブルで記憶している進路内時間鎖錠設定時素と、進路内時間鎖錠対象と、過走防護時間鎖錠設定時素と、過走防護時間鎖錠対象に基づいて、連動表の時間鎖錠の記述を生成する時間鎖錠連動表生成手順。
【発明の詳細な説明】
【技術分野】
【０００１】
本発明は、鉄道信号の連動装置に組み込む時間鎖錠データを作成する時間鎖錠連動表生成システムに関する。
【背景技術】
【０００２】
駅構内の転てつ器や進路の制御は、連動装置によって行われる。しかし、駅構内の線路配線や運転形態は駅毎に異なり、画一的に連動装置を製作することはできない。このため、駅毎に連動装置の動作を連動図表に規定し、これに基づき、連動動作理論を作成して連動装置に組み込む。
【０００３】
連動図表は、配線略図と連動表からなり、配線略図には駅構内の線形と信号設備を作図し、連動表には連動装置の動作理論を記述する。連動表は、配線略図に基づいて作成する。この作業を効率化するために、配線略図から連動理論を自動的に作成されることが望まれる。
【０００４】
連動理論の作成は、基本的に配線略図に基づいて行われるので、従来のシステムでも配線略図に基づいて自動作成を試みていたが、配線略図のみからでは決定できない条件が多く存在するため、連動理論自動作成後の修正を余儀なくされていた。更に、連動図表の作成は何度も繰り返されるため、自動生成後の作業負担が大きかった。このため、配線略図のみからでは決定できない条件も加味した連動理論の自動作成の要求は大きい。
【先行技術文献】
【特許文献】
【０００５】
【特許文献１】特開２００３−０６３４０１号公報
【発明の概要】
【発明が解決しようとする課題】
【０００６】
そこで、本発明は、このような問題を解決することを主な目的とする。特に連動理論の１つである時間鎖錠に関して連動表を自動作成する。尚、時間鎖錠は、着点軌道回路に進入して進路区分鎖錠が解錠したとき、前方の転てつ器又は鎖錠進路の解錠を一定時間保留する制御である。鎖錠とは、信号機や転てつ機等を電気的手段あるいは機械的手段により、操作できないようにすることである。
【課題を解決するための手段】
【０００７】
本願発明に係る時間鎖錠連動表生成システムは、
停車場構内の配線情報を管理する配線略図データベースと接続し、以下の要素を有することを特徴とする
（１）最終の進路区分鎖錠が解錠してから、進路内の転てつ器の鎖錠を継続する進路内時間鎖錠における標準的な鎖錠継続時間である進路内時間鎖錠標準時素と、最終の進路区分鎖錠を解錠してから、過走経路の転てつ器又は進路の鎖錠を継続する過走防護時間鎖錠における標準的な鎖錠継続時間である過走防護時間鎖錠標準時素を記憶する標準時素テーブル
（２）進路毎に、進路内時間鎖錠設定時素と、進路内時間鎖錠対象と、過走防護時間鎖錠設定時素と、過走防護時間鎖錠対象を対応付けて記憶するための時間鎖錠条件テーブル
（３）配線略図データベースから取得した配線情報に基づいて、進路毎に進路内時間鎖錠の対象とする転てつ器を特定し、時間鎖錠条件テーブルに当該進路に対応付けて進路内時間鎖錠対象として記憶させ、更に標準時素テーブルで記憶している進路内時間鎖錠標準時素を進路内時間鎖錠設定時素として当該進路に対応付け記憶させる進路内時間鎖錠判定部
（４）進路に対して予め定められている過走防護時間鎖錠対象を、時間鎖錠条件テーブルに当該進路と対応付けて記憶させ、更に標準時素テーブルで記憶している過走防護時間鎖錠標準時素を過走防護時間鎖錠設定時素として当該進路に対応付けて記憶させる過走防護時間鎖錠判定部
（５）時間鎖錠条件テーブルの修正を受け付ける時間鎖錠条件修正部
（６）進路毎に、時間鎖錠条件テーブルで記憶している進路内時間鎖錠設定時素と、進路内時間鎖錠対象と、過走防護時間鎖錠設定時素と、過走防護時間鎖錠対象に基づいて、連動表の時間鎖錠の記述を生成する時間鎖錠連動表生成部。
【０００８】
更に、
進路内時間鎖錠判定部は、配線略図データベースを用いて、当該進路の到着線路を取得し、到着線路内の軌道回路を外方から探索させ、転てつ機が無い軌道回路を特定し、当該軌道回路の内方の転てつ器を特定し、特定した転てつ器を進路内時間鎖錠の対象とすることを特徴とする。
【０００９】
また、
時間鎖錠連動表生成システムは、更に、
進路毎に、操作者の操作により防護終点を受け付け、配線略図データベースを用いて、当該進路の終点と防護終点を結ぶ経路を探索させ、探索した経路を過走経路とする過走経路設定部を有し、
過走防護時間鎖錠判定部は、過走経路を過走防護時間鎖錠対象として時間鎖錠条件テーブルに記憶させることを特徴とする。
【００１０】
また、
時間鎖錠連動表生成システムは、更に、
進路毎に、配線略図データベースを用いて、当該進路内の開通てこを探索させ、探索した開通てこを反位鎖錠対象とする開通てこ反位鎖錠判定部を有し、
過走防護時間鎖錠判定部は、反位鎖錠対象を過走防護時間鎖錠対象として時間鎖錠条件テーブルに記憶させることを特徴とする。
【００１１】
また、
時間鎖錠連動表生成システムは、更に、
進路毎に、配線略図データベースを用いて、当該進路の内方に連続する進路を探索させ、探索した進路を候補として、操作者により選択された進路を反位鎖錠対象とする内方進路反位鎖錠判定部を有し、
過走防護時間鎖錠判定部は、反位鎖錠対象を過走防護時間鎖錠対象として時間鎖錠条件テーブルに記憶させることを特徴とする。
【００１２】
また、
時間鎖錠連動表生成システムは、更に、
進路毎に、配線略図データベースを用いて、当該進路の信号機が進行を現示するか判定し、進行を現示する進路の内方に連続する信号機の進路を抽出し、抽出した内方進路を候補として、操作者により選択された内方進路を定位鎖錠対象とする内方信号機反位鎖錠判定部を有し、
過走防護時間鎖錠判定部は、定位鎖錠対象を過走防護時間鎖錠対象として時間鎖錠条件テーブルに記憶させることを特徴とする。
【００１３】
本願発明に係る時間鎖錠連動表生成方法は、
停車場構内の配線情報を管理する配線略図データベースと接続し、
最終の進路区分鎖錠が解錠してから、進路内の転てつ器の鎖錠を継続する進路内時間鎖錠における標準的な鎖錠継続時間である進路内時間鎖錠標準時素と、最終の進路区分鎖錠を解錠してから、過走経路の転てつ器又は進路の鎖錠を継続する過走防護時間鎖錠における標準的な鎖錠継続時間である過走防護時間鎖錠標準時素を記憶する標準時素テーブルと、
進路毎に、進路内時間鎖錠設定時素と、進路内時間鎖錠対象と、過走防護時間鎖錠設定時素と、過走防護時間鎖錠対象を対応付けて記憶するための時間鎖錠条件テーブルを有する時間鎖錠連動表生成システムによる時間鎖錠連動表生成方法であって、以下の工程を有することを特徴とする
（１）配線略図データベースから取得した配線情報に基づいて、進路毎に進路内時間鎖錠の対象とする転てつ器を特定し、時間鎖錠条件テーブルに当該進路に対応付けて進路内時間鎖錠対象として記憶させ、更に標準時素テーブルで記憶している進路内時間鎖錠標準時素を進路内時間鎖錠設定時素として当該進路に対応付けて記憶させる進路内時間鎖錠判定工程
（２）進路に対して予め定められている過走防護時間鎖錠対象を、時間鎖錠条件テーブルに当該進路と対応付けて記憶させ、更に標準時素テーブルで記憶している過走防護時間鎖錠標準時素を過走防護時間鎖錠設定時素として当該進路に対応付け記憶させる過走防護時間鎖錠判定工程
（３）時間鎖錠条件テーブルの修正を受け付ける時間鎖錠条件修正工程
（４）進路毎に、時間鎖錠条件テーブルで記憶している進路内時間鎖錠設定時素と、進路内時間鎖錠対象と、過走防護時間鎖錠設定時素と、過走防護時間鎖錠対象に基づいて、連動表の時間鎖錠の記述を生成する時間鎖錠連動表生成工程。
【００１４】
本願発明に係るプログラムは、
停車場構内の配線情報を管理する配線略図データベースと接続し、
最終の進路区分鎖錠が解錠してから、進路内の転てつ器の鎖錠を継続する進路内時間鎖錠における標準的な鎖錠継続時間である進路内時間鎖錠標準時素と、最終の進路区分鎖錠を解錠してから、過走経路の転てつ器又は進路の鎖錠を継続する過走防護時間鎖錠における標準的な鎖錠継続時間である過走防護時間鎖錠標準時素を記憶する標準時素テーブルと、
進路毎に、進路内時間鎖錠設定時素と、進路内時間鎖錠対象と、過走防護時間鎖錠設定時素と、過走防護時間鎖錠対象を対応付けて記憶するための時間鎖錠条件テーブルを有する時間鎖錠連動表生成システムとなるコンピュータに、以下の手順を実行させることを特徴とする
（１）配線略図データベースから取得した配線情報に基づいて、進路毎に進路内時間鎖錠の対象とする転てつ器を特定し、時間鎖錠条件テーブルに当該進路に対応付けて進路内時間鎖錠対象として記憶させ、更に標準時素テーブルで記憶している進路内時間鎖錠標準時素を進路内時間鎖錠設定時素として当該進路に対応付けて記憶させる進路内時間鎖錠判定手順
（２）進路に対して予め定められている過走防護時間鎖錠対象を、時間鎖錠条件テーブルに当該進路と対応付けて記憶させ、更に標準時素テーブルで記憶している過走防護時間鎖錠標準時素を過走防護時間鎖錠設定時素として当該進路に対応付け記憶させる過走防護時間鎖錠判定手順
（３）時間鎖錠条件テーブルの修正を受け付ける時間鎖錠条件修正手順
（４）進路毎に、時間鎖錠条件テーブルで記憶している進路内時間鎖錠設定時素と、進路内時間鎖錠対象と、過走防護時間鎖錠設定時素と、過走防護時間鎖錠対象に基づいて、連動表の時間鎖錠の記述を生成する時間鎖錠連動表生成手順。
【発明の効果】
【００１５】
本発明によれば、時間鎖錠の必要な進路を鎖錠対象として、標準時素が自動的に仮設定されるので、ユーザは鎖錠対象あるいは鎖錠時素を修正するのみで所望の連動表を作成することができる。
【図面の簡単な説明】
【００１６】
【図１ａ】配線略図の例を示す図である。
【図１ｂ】配線略図の例を示す図である。
【図２】時間鎖錠条件テーブルを示す図である。
【図３】時間鎖錠連動表の例を示す図である。
【図４】時間鎖錠連動表生成システムのうち進路内時間鎖錠判定に係る構成を示す図である。
【図５】標準時素テーブルの例を示す図である。
【図６】進路内時間鎖錠判定処理フローを示す図である。
【図７】時間鎖錠連動表生成システムのうち過走防護時間鎖錠判定の前処理に係る構成を示す図である。
【図８】過走経路テーブルの例を示す図である。
【図９】過走経路設定処理フローを示す図である。
【図１０】反位鎖錠テーブルの例を示す図である。
【図１１】開通てこ反位鎖錠判定処理フローを示す図である。
【図１２】内方進路反位鎖錠設定処理フローを示す図である。
【図１３】定位鎖錠テーブルの例を示す図である。
【図１４】内方信号機定位鎖錠設定処理フローを示す図である。
【図１５】時間鎖錠連動表生成システムのうち過走防護時間鎖錠判定に係る構成を示す図である。
【図１６】過走防護時間鎖錠判定処理フローを示す図である。
【図１７】過走経路反映処理フローを示す図である。
【図１８】反位鎖錠反映処理フローを示す図である。
【図１９】定位鎖錠反映処理フローを示す図である。
【図２０】時間鎖錠連動表生成システムのうち時間鎖錠条件修正及び連動表生成に係る構成を示す図である。
【図２１】時間鎖錠条件修正処理フローを示す図である。
【図２２】連動表生成処理フローを示す図である。
【図２３】進路内時間鎖錠展開処理フローを示す図である。
【図２４】過走防護時間鎖錠展開処理フローを示す図である。
【発明を実施するための形態】
【００１７】
実施の形態１．
時間鎖錠は、列車が進路内に進入するときに、進路内の鎖錠を行う進路鎖錠の一つである。進路鎖錠には、時間鎖錠の他に進路区分鎖錠がある。進路区分鎖錠は、到着線路より外方の進路を鎖錠するものであり、軌道回路単位で鎖錠する。時間鎖錠は、到着線路より内方を鎖錠するものであり、進路内時間鎖錠と過走防護時間鎖錠の２種類ある。進路内時間鎖錠は、到着線路内の転てつ器の鎖錠を行うもので、過走防護時間鎖錠は、過走防護区間の転てつ器或いは進路の鎖錠を行う。時間鎖錠は、列車の到着線路の内方にあるので、到着線路進入後一定時間の鎖錠を以て列車が停止したと判断して解錠を行うものある。以下図１ａに示した配線略図の例に基づいて、両者を順に説明する。
【００１８】
図１ａは、配線略図の例を示す図である。図に示すように、進路始点から進路終点までの基本経路のうち、着点ボタンを含む到着線路が設定され、更に基本経路から内方（進行における先方向）に過走経路が設定されている。また、基本経路のうち進路始点を始点とする外方側が進路区分鎖錠の対象範囲であり、基本経路のうち進路終点を終点とする内方側が進路内時間鎖錠の対象範囲であり、過走経路が過走防護時間鎖錠の対象範囲である。
【００１９】
＜進路内時間鎖錠について＞
進路区分鎖錠においては、列車通過中の転てつ器の途中転換や不正な進路開通による事故等を防止するため、進路開通から列車がその区間を通過し終わるまで、その区間内にある転てつ器を転換できないようにする。仮に図１ａの信号機１Ｒの進路について連動表の鎖錠の項目を「２１  ２２」と記載し、進路鎖錠の項目を「（２１Ｔ  ２２Ｔ）」と記載することにより進路鎖錠すると、列車が信号機内方の軌道回路２１Ｔに進入すると、この軌道回路に含まれるすべての転てつ器（２１と２２）が転換できなくなる。そして、列車が２２Ｔを完全に進出した後に、２１と２２の転てつ器が解錠される。
【００２０】
尚、連動表の鎖錠の項目では、当該進路を構成するために鎖錠される信号機や転てつ器の番号が特定される。尚、○印が付されている場合は反位を意味し、無印の場合は定位を意味している。定位とは、装置の常時の状態を意味し、特に転てつ器の場合は、常時開通させておく方向のことを意味する。反位は、常時と反対の状態を意味し、特に転てつ器の場合は、常時開通させておく方向以外の方向のことをいう。また、連動表の進路鎖錠の項目では、進路鎖錠あるいは進路区分鎖錠の対象となる軌道回路名が鎖錠の単位毎にカッコ書で特定される。
【００２１】
上述のように列車が進路内のすべての軌道回路を通過し終わるまですべての転てつ器を鎖錠すると、次の進路の構成における効率を害することがある。そのため、進路の途中まで走行した段階で、部分的に転てつ器を解錠するように制御することを進路区分鎖錠という。仮に図１ａの信号機１Ｒの進路について連動表の鎖錠の項目を「２１  ２２」と記載し、進路鎖錠の項目を「（２１Ｔ）（２２Ｔ）」と記載することにより進路区分鎖錠すると、列車が軌道回路２１Ｔを進出すると、転てつ器２１が先に解錠され、さらに進んで軌道回路２２Ｔを進出すると、残りの転てつ器２２が解錠される。
【００２２】
進路内時間鎖錠は、上述の進路区分鎖錠を前提とし、着点進路内に複数の軌道回路が存在し、外方（進行に対して手前の方向）側から２番目以降の軌道回路上に存在する転てつ器がある場合に、到着線路内の軌道回路を除く最終の進路区分鎖錠が解錠してから、列車が停止するまでに充分が所定時間、その転てつ器を鎖錠する制御である。図１ａに示すように信号機１Ｒの到着線路は、通常、軌道回路１ＲＡＴと３１Ｔであるが、ホームトラックの有効長不足等により、軌道回路２３Ｔまでを含める場合がある。到着線路の矢印が破線となっているのは、そのような意味合いである。いずれにおいても、外方側から２番目以降に転てつ器の存在する軌道回路は３１Ｔとなり、この軌道回路上の転てつ器３１が進路内時間鎖錠の対象となる。すなわち、列車が、到着線路内の軌道回路を除く最終の進路区分鎖錠の対象である２２Ｔを解錠しても、転てつ器３１の鎖錠を一定時間継続する。その継続時間が９０秒であれば、連動表の鎖錠の項目「３１」に対して、進路鎖錠の項目を「（３１  但  ９０秒）」と記載することになる。
【００２３】
このように進路内時間鎖錠することにより、列車が到着線路内に進入して転てつ器３１までに到達する前に解錠することを回避するとともに、入換標識１１Ｒの手前で停止したときに、転てつ器３１を反位方向に入換運転できるようにして効率を高めることができる。例えば、軌道回路１ＲＡＴに進行した列車が信号機２Ｒ直前まで進入する場合に、所定時間だけ転てつ器３１を鎖錠することにより、到着前に転てつ器が反位転換することを防ぐことができる。また、十分な時間が経過しても、転てつ器３１まで進入しなかったときは、軌道回路１ＲＡＴ内に停止したと判断できるので、入換標識１１Ｒによって３１を反位転換可能となる。
【００２４】
＜過走防護時間鎖錠＞
過走防護時間鎖錠は、過走経路の転てつ器や進路に対して、最終の進路区分鎖錠を解錠してから、列車が停止するまでに充分な時間鎖錠を継続する制御である。図１ｂの信号機１ＲＡの場合には、過走経路の転てつ器４１に対して、最終の進路区分鎖錠対象である軌道回路３１Ｔを進出してから、転てつ器４１の鎖錠を継続する。その継続時間を３０秒であれば、連動表の鎖錠の項目「４１」に対して、進路鎖錠の項目を「（４１  但  ３０秒）」と記載することになる。また、信号機７ＬＣの場合には、過走経路の進路２Ｌに対して過走防護時間鎖錠する。連動表の鎖錠の項目「  ２Ｌ反位  」に対して、進路鎖錠の項目は「（２Ｌ反位  但  ３０秒）」となる。
【００２５】
このように過走防護時間鎖錠することにより、列車が到着線路内に進入して所定の停止位置を過走した場合に過走防護区間の転てつ器が転換することを回避することができる。例えば、軌道回路３１Ｔに進行した列車が信号機５Ｒを過走した場合に備えて、所定時間だけ転てつ器４１を鎖錠することにより、４１が反位転換して本線に進入することを防ぐことができる。
【００２６】
時間鎖錠連動表生成システムでは、上述の進路内時間鎖錠と過走防御時間鎖錠の条件を定めた時間鎖錠条件テーブルを生成する。図２は、時間鎖錠条件テーブルを示す図である。進路毎にレコードを設け、信号機番号で示した進路と、進路内時間鎖錠設定時素と、進路内時間鎖錠対象と、過走防護時間鎖錠設定時素と、過走防護時間鎖錠対象の項目を対応付けて記憶するように構成されている。進路は１つの信号機により特定できるように構成されているので、信号機番号は、信号機の識別情報として用いられる他、進路を特定する進路特定情報としても用いることができる。進路内時間鎖錠は、転てつ器（例えば、４２）を鎖錠対象としており、過走防護時間鎖錠は、転てつ器（例えば、４１）及び進路（例えば、２Ｌ）を鎖錠対象としている。進路内時間鎖錠設定時素は、進路内時間鎖錠により鎖錠を継続する所定時間を意味し、過走防護時間鎖錠設定時素は、過走防護時間鎖錠により鎖錠を継続する所定時間を意味する。進路内時間鎖錠を行わない場合には、進路内時間鎖錠設定時素と進路内時間鎖錠対象に設定無しコードを書き込んでいるが、進路内時間鎖錠設定時素を０秒に指定することにより、進路内時間鎖錠を行わないことを判別するようにすることもできる。同様に、過走防護時間鎖錠を行わない場合には、過走防護時間鎖錠設定時素と過走防護時間鎖錠対象に設定無しコードを書き込んでいるが、過走防護時間鎖錠設定時素を０秒に指定することにより、過走防護時間鎖錠を行わないことを判別するようにすることもできる。
【００２７】
時間鎖錠連動表生成システムは、上述の時間鎖錠条件テーブルを変換して時間鎖錠連動表を生成する。時間鎖錠連動表は、連動表のうち特に時間鎖錠に関連する項目を特定している。図３は、時間鎖錠連動表の例を示す図である。進路毎にレコードを設け、名称と、信号機の番号と、鎖錠と、進路鎖錠の項目を対応付けて記憶するように構成されている。名称は、当該進路に係る信号機の種別と、上下方向の線路名称により示される進路名を含んでいる。
【００２８】
図４は、時間鎖錠連動表生成システムのうち進路内時間鎖錠判定に係る構成を示す図である。時間鎖錠連動表生成システムは、配線略図データベース４０１、標準時素テーブル４０２、進路内時間鎖錠判定部４０３、及び時間鎖錠条件テーブル４０４を有している。配線略図データベース４０１は、配線略図に関するデータを管理するデータベースであり、探索要求に応じて、配線略図に基づくデータを探索し、要求されたデータを返信するように構成されている。配線略図は、図１ａに示した通り、駅構内の線路配線線形や信号設備を記した図である。尚、配線略図データベース４０１を、時間鎖錠連動表生成システムの外部に設けることもできる。
【００２９】
進路内時間鎖錠判定部４０３は、配線略図データベース４０１からのデータと標準時素テーブル４０２に基づいて前述の時間鎖錠条件テーブル４０４を生成する。ここで進路内時間鎖錠判定部４０３の前提となる標準時素テーブル４０２について説明する。図５は、標準時素テーブルの例を示す図である。進路内時間鎖錠標準時素と過走防護時間鎖錠標準時素を記憶している。進路内時間鎖錠標準時素は、進路内時間鎖錠において標準となる解錠時素（解錠するまでの時間）のことであり、過走防護時間鎖錠標準時素は、過走防護時間鎖錠おいて標準となる解錠時素のことである。
【００３０】
続いて、進路内時間鎖錠判定部４０３による進路内時間鎖錠判定処理について説明する。図６は、進路内時間鎖錠判定処理フローを示す図である。配線略図データベース４０１より取得する駅構内の進路毎に以下の処理を繰り返す（Ｓ６０１）。配線略図データベース４０１は、進路リストの要求に応じて駅構内の進路を特定する進路リストを提供するとともに、進路毎に到着線路を提供するように構成されている。進路内時間鎖錠判定部４０３は、配線略図データベース４０１から当該進路の到着線路を取得する（Ｓ６０２）。そして、配線略図データベース４０１に要求して到着線路内の軌道回路を外方から探索し、転てつ器が無い軌道回路の番号を特定する（Ｓ６０３）。転てつ器の無い軌道回路が存在しない場合には（Ｓ６０４）、当該進路に対する処理を終える。一方、転てつ器の無い軌道回路が存在する場合には、配線略図データベース４０１から当該軌道回路の内方側の転てつ器の番号を取得する（Ｓ６０５）。内方側の転てつ器が存在しない場合には（Ｓ６０６）、当該進路に対する処理を終える。一方、内方側の転てつ器が存在する場合には、時間鎖錠条件テーブル４０４の当該進路の進路内時間鎖錠対象に、取得したすべての内方側の転てつ器の番号を書き込む（Ｓ６０７）。更に、標準時素テーブル４０２から進路内時間鎖錠標準時素を取得し（Ｓ６０８）、時間鎖錠条件テーブル４０４の当該進路の進路内時間鎖錠設定時素に書き込む（Ｓ６０９）。これらの処理をすべての進路について処理した時点で終了する（Ｓ６１０）。
【００３１】
例えば、図１ｂに示した進路１ＲＡの場合には、到着線路を外方から探索すると転てつ器のない軌道回路１ＲＡＴが存在する。また、その内方側軌道回路４２Ｔ内には転てつ器４１があるので、これらを図２に示したように進路内時間鎖錠対象に書き込む。
【００３２】
上述のように処理する理由は、ホームトラックの中心となる軌道回路には、通常、転てつ器が存在しないので、到着線路が複数の軌道回路からなる場合は、転てつ器の無い最初の軌道回路までは列車が進入してくる。その内方側の軌道回路までは、列車が進入してこない可能性が残されるので、その軌道回路内の転てつ器を時間鎖錠とする必要がある。
【００３３】
上述の処理により進路内時間鎖錠に関する条件を設定処理が完了する。次に、過走防護時間鎖錠に関する条件設定について説明する。過走防護の設定により、場内進路あるいは出発進路について過走しないように、あるいは過走して問題ないように対策を取る。
【００３４】
まず、過走防護時間鎖錠判定の前処理について説明する。図７は、時間鎖錠連動表生成システムのうち過走防護時間鎖錠判定の前処理に係る構成を示す図である。時間鎖錠連動表生成システムは、更に過走経路設定部７０１、過走経路テーブル７０２、開通てこ反位鎖錠判定部７０３、反位鎖錠テーブル７０４、内方進路反位鎖錠設定部７０５、内方信号機定位鎖錠設定部７０６、及び定位鎖錠テーブル７０７を有している。
【００３５】
過走経路設定部７０１による過走経路設定処理では、過走防護の対象となる過走経路を設定する。過走経路とは、進路終点から過走防護終点までの経路のことである。過走経路上の転てつ器を経路の方向に鎖錠し、この経路内に対向列車が進入しないように制御する。これにより、列車が進路を過走しても他の列車との衝突となる事態を回避することができる。
【００３６】
設定された過走経路は過走経路テーブル７０２に書き込まれる。図８は、過走経路テーブルの例を示す図である。進路毎にレコードを設け、進路と過走経路の項目を対応付けて記憶するように構成されている。経路は、進路の終点より内方へ順に防護終点へ軌道回路の列によって特定される。
【００３７】
過走経路設定処理について詳述する。図９は、過走経路設定処理フローを示す図である。
配線略図データベース４０１より取得する駅構内の進路毎に以下の処理を繰り返す（Ｓ９０１）。配線略図データベース４０１により配線略図を取得し、取得した配線略図を画面に出力した上で、操作者に防護終点の指定を促す。そして、操作者が指示した防護終点を受け付ける（Ｓ９０２）。防護終点は、例えば終点記号の指示によって指定される。防護終点の指定が無ければ、当該進路に対する処理を終了する。一方、防護終点の指定があれば（Ｓ９０３）、配線略図データベース４０１に要求して進路の終点と防護終点を結ぶ経路を探索する（Ｓ９０４）。そして、探索した経路を過走経路として進路に対応付けて、過走経路テーブル７０２に書き込む（Ｓ９０５）。これらの処理をすべての進路について処理した時点で終了する（Ｓ９０６）。
【００３８】
図１ｂに示した進路１ＲＡに対して防護終点４１ロＴ−（車止め）を指定した場合には、図８に示すように、過走経路（４２Ｔ）−４１ロＴ−（車止め）が設定される。
【００３９】
開通てこ反位鎖錠判定部７０３による開通てこ反位鎖錠処理では、過走防護の対象となる開通てこ反位鎖錠を設定する。開通てこ反位鎖錠では、進路の終点から進路方向に存在する開通てこを反位に鎖錠する。開通てこは、てこ扱い者の操作によって過走防護区間の転てつ器や対向進路の鎖錠を行うものである。これにより、必要に応じて過走防護の鎖錠が可能となり、進路設定の優先順位が決めやすくなる。
【００４０】
開通てこ反位鎖錠は、反位鎖錠テーブル７０４に書き込まれる。図１０は、反位鎖錠テーブルの例を示す図である。進路毎にレコードを設け、進路と反位鎖錠対象の項目を対応付けて記憶するように構成されている。
【００４１】
開通てこ反位鎖錠判定処理について詳述する。図１１は、開通てこ反位鎖錠判定処理フローを示す図である。配線略図データベース４０１より取得する駅構内の進路毎に以下の処理を繰り返す（Ｓ１１０１）。配線略図データベース４０１に要求して当該進路内の開通てこを探索する（Ｓ１１０２）。開通てこが無い場合には（Ｓ１１０３）、当該進路についての処理を終了する。開通てこがある場合には、開通てこを反位鎖錠対象として、進路に対応付けて、反位鎖錠テーブルに書き込む（Ｓ１１０４）。そして、すべての進路について処理した時点で終了する（Ｓ１１０５）。
【００４２】
図１ｂに示した進路１ＲＢ内には開通てこ１０Ｒが存在するので、図１０に示すように、反位鎖錠対象として開通てこ１０Ｒが設定される。
【００４３】
内方進路反位鎖錠設定部７０５による内方進路反位鎖錠処理では、過走防護の対象となる内方進路反位鎖錠を設定する。内方進路反位鎖錠では、当該進路が進行を現示する場合に、内方に連続する同一種類の進路を抽出し、そのうち操作者により選択された進路を反位鎖錠する。例えば、図１ｂに示した進路７ＬＣは信号機に進行を現示し、内方に同一種類の場内出発信号機である進路２Ｌがあるので、これが選択された場合には、進路２Ｌが７ＬＣによって反位に鎖錠されることになる。２Ｌ進路によって転てつ器や対向進路が鎖錠されており、これによって７ＬＣの過走防護区間が鎖錠される。
【００４４】
内方進路反位鎖錠は、前述の反位鎖錠テーブル７０４に書き込まれる。
【００４５】
内方進路反位鎖錠設定処理について詳述する。図１２は、内方進路反位鎖錠設定処理フローを示す図である。配線略図データベース４０１より取得する駅構内の進路毎に以下の処理を繰り返す（Ｓ１２０１）。配線略図データベース４０１に要求して、当該進路の内方に連続する進路を探索する（Ｓ１２０２）。そして、配線略図データベース４０１から取得した配線略図とともに、探索した内方進路を候補として表示して、反位鎖錠する内方進路の選択を操作者に促し、反位鎖錠する内方進路の選択を受け付ける（Ｓ１２０３）。反位鎖錠する内方進路が選択されなかった場合には（Ｓ１２０４）、当該進路に関する処理を終了する。反位鎖錠する内方進路が選択された場合には、その内方進路を反位鎖錠対象として、当該進路に対応付けて、反位鎖錠テーブル７０４に書き込む（Ｓ１２０５）。すべての進路について処理した時点で終了する（Ｓ１２０６）。
【００４６】
図１ｂに示した進路７ＬＣの場合には、内方進路の２Ｌを候補として表示し、この進路が、図１０で反位鎖錠対象となっていることが示されている。
【００４７】
内方信号機定位鎖錠設定部７０６による内方信号機定位鎖錠処理では、過走防護の対象となる内方信号機定位鎖錠を設定する。内方信号機定位鎖錠では、進行を現示しない進路について、内方に連続する信号機の進路を抽出し、そのうち操作者により選択された進路を定位鎖錠する。例えば、図１ｂに示した進行を現示しない進路７ＬＤは、内方に連続する信号機の進路３Ｌが存在し、この進路が選択された場合には、この進路を定位鎖錠する。これにより、信号機に進行を現示しない進路は、内方信号機を通過することはないので、誤って設定しても内方信号機に進行を現示しないようにすることができる。
【００４８】
内方進路反位鎖錠は、定位鎖錠テーブル７０７に書き込まれる。図１３は、定位鎖錠テーブルの例を示す図である。進路毎にレコードを設け、進路と定位鎖錠対象との項目を対応付けて記憶するように構成されている。
【００４９】
内方進路反位鎖錠処理について詳述する。図１４は、内方信号機定位鎖錠設定処理フローを示す図である。配線略図データベース４０１より取得する駅構内の進路毎に以下の処理を繰り返す（Ｓ１４０１）。配線略図データベース４０１に要求して、当該進路に係る信号機は進行信号を現示するか判定する（Ｓ１４０２）。進行信号を現示しない種類の信号機の場合には、当該進路についての処理を終了する。進行信号を現示する種類の信号機の場合には、配線略図データベース４０１に要求して、当該進路の内方に連続する信号機の進路を抽出する（Ｓ１４０３）。そして、探索した内方進路を候補として表示して、定位鎖錠する内方進路の選択を操作者に促し、定位鎖錠する内方進路の選択を受け付ける（Ｓ１４０４）。定位鎖錠する内方進路が選択されない場合には、当該進路についての処理を終了する。定位鎖錠する内方進路が選択された場合には（Ｓ１４０５）、内方進路を定位鎖錠対象として、進路に対応付けて、定位鎖錠テーブル定位鎖錠テーブル７０７に書き込む（Ｓ１４０６）。そして、すべての進路について処理した時点で終了する（Ｓ１４０７）。
【００５０】
図１ｂに示した進行信号を現示する信号機７ＬＤに対応する進路７ＬＤの場合には、内方に連続する信号機の進路３Ｌが存在し、この進路が、図１３で定位鎖錠対象となる例が示されている。
【００５１】
これらの前処理を終えた段階で、過走防護時間鎖錠判定を行なう。図１５は、時間鎖錠連動表生成システムのうち過走防護時間鎖錠判定に係る構成を示す図である。時間鎖錠連動表生成システムは、更に過走防護時間鎖錠判定部１５０１を有している。過走防護時間鎖錠判定部１５０１は、標準時素テーブル４０２の他、過走経路テーブル７０２、反位鎖錠テーブル７０４、定位鎖錠テーブル７０７のデータに基づいて過走防護に関する時間鎖錠の条件を判定し、時間鎖錠条件テーブル４０４に書き込む。
【００５２】
図１６は、過走防護時間鎖錠判定処理フローを示す図である。過走防護時間鎖錠判定部１５０１による過走防護時間鎖錠判定処理では、順次、過走経路反映処理（Ｓ１６０１）、反位鎖錠反映処理（Ｓ１６０２）、及び定位鎖錠反映処理（Ｓ１６０３）の処理を行う。以下、それぞれの処理を詳述する。
【００５３】
図１７は、過走経路反映処理フロー（Ｓ１６０１）を示す図である。過走経路テーブル７０２で過走経路が設定されている進路を特定し（Ｓ１７０１）、時間鎖錠条件テーブル４０４の当該進路の過走防護時間鎖錠対象に、当該過走経路を書き込む（Ｓ１７０２）。更に、標準時素テーブル４０２から過走防護時間鎖錠標準時素を取得し（Ｓ１７０３）、時間鎖錠条件テーブル４０４の当該進路の過走防護時間鎖錠設定時素に、過走防護時間鎖錠標準時素を書き込む（Ｓ１７０４）。そして、全ての進路について処理した時点で終了する（Ｓ１７０５）。
【００５４】
図１８は、反位鎖錠反映処理フロー（Ｓ１６０２）を示す図である。反位鎖錠テーブル７０４で反位鎖錠対象が設定されている進路を特定し（Ｓ１８０１）、時間鎖錠条件テーブル４０４の当該進路の過走防護時間鎖錠対象に、当該反位鎖錠対象を反位指示とともに書き込む（Ｓ１８０２）。更に、標準時素テーブル４０２から過走防護時間鎖錠標準時素を取得し（Ｓ１８０３）、時間鎖錠条件テーブル４０４の当該進路の過走防護時間鎖錠設定時素に、過走防護時間鎖錠標準時素を書き込む（Ｓ１８０４）。そして、全ての進路について処理した時点で終了する（Ｓ１８０５）。
【００５５】
図１９は、定位鎖錠反映処理フロー（Ｓ１６０３）を示す図である。定位鎖錠テーブル７０７で定位鎖錠対象が設定されている進路を特定し（Ｓ１９０１）、時間鎖錠条件テーブル４０４の当該進路の過走防護時間鎖錠対象に、当該定位鎖錠対象を反位指示とともに書き込む（Ｓ１９０２）。更に、標準時素テーブル４０２から過走防護時間鎖錠標準時素を取得し（Ｓ１９０３）、時間鎖錠条件テーブル４０４の当該進路の過走防護時間鎖錠設定時素に、過走防護時間鎖錠標準時素を書き込む（Ｓ１９０４）。そして、全ての進路について処理した時点で終了する（Ｓ１９０５）。
【００５６】
上述の処理により、図２に示した時間鎖錠条件テーブル４０４が生成される。尚、各項目は設定無しコードを初期値としているので、時間鎖錠が設定されない場合は、設定無しコードが記憶されている。
【００５７】
次に、時間鎖錠連動表生成システムは、操作者より時間鎖錠条件の修正を受け付け、更に時間鎖錠条件を連動表に変換する処理を行なう。
【００５８】
図２０は、時間鎖錠連動表生成システムのうち時間鎖錠条件修正及び連動表生成に係る構成を示す図である。時間鎖錠連動表生成システムは、更に時間鎖錠条件修正部２００１、連動表生成部２００２、及び時間鎖錠連動表記憶部２００３を有している。
【００５９】
図２１は、時間鎖錠条件修正処理フローを示す図である。まず、配線略図データベース４０１に要求して、取得した配線略図を表示する（Ｓ２１０１）。更に、時間鎖錠条件テーブル４０４に記憶されている進路毎の進路内時間鎖錠設定時素、進路内時間鎖錠対象、過走防護時間鎖錠設定時素、過走防護時間鎖錠対象を表示する（Ｓ２１０２）。このときに表示する画面は、進路内時間鎖錠設定時素、進路内時間鎖錠対象、過走防護時間鎖錠設定時素、及び過走防護時間鎖錠対象の各データの修正を指示するイベントを受け付けることができるように構成されている。時間鎖錠条件修正部２００１は、受け付けたイベントが発生するまで待機し、発生したイベントを取得する（Ｓ２１０３）。
【００６０】
取得したイベントが進路内時間鎖錠設定時素のイベントである場合には（Ｓ２１０４）、進路内時間鎖錠設定時素修正処理（Ｓ２１０５）を行う。これにより、操作者により指示された進路内時間鎖錠設定時素を、指示された数値に修正する。同様に、取得したイベントが進路内時間鎖錠対象のイベントである場合には（Ｓ２１０６）、進路内時間鎖錠対象修正処理（Ｓ２１０７）を行う。これにより、操作者による指示された進路内時間鎖錠対象を、指示に従って削除し、あるいは指示された対象に修正する。対象をすべて削除した場合には、進路内時間鎖錠設定時素と進路内時間鎖錠対象を設定無しコードとする。
【００６１】
更に、取得したイベントが過走防護時間鎖錠設定時素のイベントである場合には（Ｓ２１０８）、過走防護時間鎖錠設定時素修正処理（Ｓ２１０９）を行う。これにより、これにより、操作者による指示により特定される過走防護時間鎖錠設定時素を、指示された数値に修正する。また、取得したイベントが過走防護時間鎖錠対象のイベントである場合には（Ｓ２１１０）、過走防護時間鎖錠対象修正処理（Ｓ２１１１）を行う。これにより、操作者による指示により特定される過走防護時間鎖錠対象を、指示に従って削除し、あるいは指示された対象に修正する。対象をすべて削除した場合には、過走防護時間鎖錠設定時素と過走防護時間鎖錠対象を設定無しコードとする。取得したイベントが終了指示のイベントである場合に終了する（Ｓ２１１２）。
【００６２】
尚、進路内時間鎖錠設定時素修正で０秒に修正された場合に、進路内時間鎖錠設定時素と進路内時間鎖錠対象を設定無しコードとし、過走防護時間鎖錠設定時素修正で０秒に修正された場合に、過走防護時間鎖錠設定時素と過走防護時間鎖錠対象を設定無しコードとすることも有効である。
【００６３】
最後に、時間鎖錠条件を連動表の書式に変換して連動表を生成する処理について説明する。図２２は、連動表生成処理フローを示す図である。時間鎖錠条件テーブル４０４に含まれる進路毎に以下の処理を繰り返す（Ｓ２２０１）。まず、進路内時間鎖錠展開処理（Ｓ２２０２）で進路内時間鎖錠について変換し、次に、過走防護時間鎖錠展開処理（Ｓ２２０３）で過走防護時間鎖錠について変換し、すべての進路について処理した時点で終了する（Ｓ２２０４）。
【００６４】
図２３は、進路内時間鎖錠展開処理フロー（Ｓ２２０２）を示す図である。当該進路について進路内時間鎖錠が設定されていない場合は（Ｓ２３０１）、処理を終了する。進路内時間鎖錠が設定されている場合には、まず始め丸括弧を進路鎖錠欄に加える（Ｓ２３０２）。次に、進路内時間鎖錠対象を進路鎖錠欄に加え（Ｓ２３０３）、更に「但」を進路鎖錠欄に加える（Ｓ２３０４）。そして、進路内時間鎖錠設定時素に「秒」を付して進路鎖錠欄に加える（Ｓ２３０５）。
【００６５】
図２４は、過走防護時間鎖錠展開処理フロー（Ｓ２２０３）を示す図である。当該進路について過走防護時間鎖錠が設定されていない場合は（Ｓ２４０１）、処理を終了する。過走防護時間鎖錠が設定されている場合には、まず始め丸括弧を進路鎖錠欄に加える（Ｓ２４０２）。次に、過走防護時間鎖錠対象を進路鎖錠欄に加え（Ｓ２４０３）、更に「但」を進路鎖錠欄に加える（Ｓ２４０４）。そして、過走防護時間鎖錠設定時素に「秒」を付して進路鎖錠欄に加える（Ｓ２４０５）。
【００６６】
時間鎖錠連動表生成システムは、コンピュータであり、各要素はプログラムにより処理を実行することができる。また、プログラムを記憶媒体に記憶させ、記憶媒体からコンピュータに読み取られるようにすることができる。
【符号の説明】
【００６７】
４０１  配線略図データベース、４０２  標準時素テーブル、４０３  進路内時間鎖錠判定部、４０４  時間鎖錠条件テーブル、７０１  過走経路設定部、７０２  過走経路テーブル、７０３  開通てこ反位鎖錠判定部、７０４  反位鎖錠テーブル、７０５  内方進路反位鎖錠設定部、７０６  内方信号機定位鎖錠設定部、７０７  定位鎖錠テーブル、１５０１  過走防護時間鎖錠判定部、２００１  時間鎖錠条件修正部、２００２  連動表生成部、２００３  時間鎖錠連動表記憶部。
【図１ａ】
2010228609.tif 000003
【図１ｂ】
2010228609.tif 000004
【図２】
2010228609.tif 000005
【図３】
2010228609.tif 000006
【図４】
2010228609.tif 000007
【図５】
2010228609.tif 000008
【図６】
2010228609.tif 000009
【図７】
2010228609.tif 000010
【図８】
2010228609.tif 000011
【図９】
2010228609.tif 000012
【図１０】
2010228609.tif 000013
【図１１】
2010228609.tif 000014
【図１２】
2010228609.tif 000015
【図１３】
2010228609.tif 000016
【図１４】
2010228609.tif 000017
【図１５】
2010228609.tif 000018
【図１６】
2010228609.tif 000019
【図１７】
2010228609.tif 000020
【図１８】
2010228609.tif 000021
【図１９】
2010228609.tif 000022
【図２０】
2010228609.tif 000023
【図２１】
2010228609.tif 000024
【図２２】
2010228609.tif 000025
【図２３】
2010228609.tif 000026
【図２４】
2010228609.tif 000027
【手続補正書】
【提出日】平成21年4月15日(2009.4.15)
【手続補正１】
【補正対象書類名】図面
【補正対象項目名】図１ａ
【補正方法】変更
【補正の内容】
【図１ａ】
2010228609.tif 000028
【手続補正２】
【補正対象書類名】図面
【補正対象項目名】図１ｂ
【補正方法】変更
【補正の内容】
【図１ｂ】
2010228609.tif 000029